(57)【要約】      （修正有）【課題】螺子を使用しないことにより、全体の見栄えが良くなり、携帯電話の高級感が増加し、そして定位及び固定が容易となる携帯電話用金属枠を提供する。【解決手段】前周縁フサギ部１１と、透かし部１２と、上側周縁フサギ部１３と、が設けられている上枠部１０と、後周縁フサギ部２１と、下側周縁フサギ部２２と、設けられており、上枠部１０の上側周縁フサギ部１３は下側周縁フサギ部２２に貼り付けられており、上枠部１０とから、携帯電話を収容可能な保護空間が形成される下枠部２０と、を含む。上枠部１０の上側周縁フサギ部１３と下枠部２０の下側周縁フサギ部２２の対応箇所では、上枠部１０と下枠部２０を互いに吸着するための少なくとも一つの磁性子４０と、上枠部１０と下枠部２０を互いに定位するための少なくとも一つ定位子５０と、が設けられている。【選択図】図１
0003189836.tif 000002
【実用新案登録請求の範囲】
【請求項１】
前周縁フサギ部と、透かし部と、上側周縁フサギ部と、が設けられている上枠部と、
後周縁フサギ部と、下側周縁フサギ部と、設けられており、前記上枠部の前記上側周縁フサギ部は前記下側周縁フサギ部に押付けており、前記上枠部とから、携帯電話を収容可能な保護空間が形成される下枠部と、
を含む携帯電話用金属枠において、
前記上枠部の前記上側周縁フサギ部と前記下枠部の前記下側周縁フサギ部の対応箇所では、前記上枠部と前記下枠部を互いに吸着するための少なくとも一つの磁性子と、前記上枠部と前記下枠部を互いに定位するための少なくとも一つ定位子と、が設けられていることを特徴とする携帯電話用金属枠。
【請求項２】
前記定位子は、一組以上の凹凸のペアであり、前記上枠部と前記下枠部を合わせているときには、これらの前記凹凸のペアを互いに嵌合することにより、前記上枠部と前記下枠部を定位することが可能であることを特徴とする、請求項１に記載の携帯電話用金属枠。
【請求項３】
前記定位子は、一組以上の定位ピンと定位穴のペアであり、前記上枠部と前記下枠部を合わせているときには、これらの前記定位ピンと前記定位穴のペアを互いに嵌合することにより、前記上枠部と前記下枠部を定位することが可能であることを特徴とする、請求項１に記載の携帯電話用金属枠。
【請求項４】
前記定位子は、一組以上のラッチのペアであり、前記上枠部と前記下枠部を合わせているときには、これらの前記ラッチのペアを互いに係合することにより、前記上枠部と前記下枠部を定位することが可能であることを特徴とする、請求項１に記載の携帯電話用金属枠。
【請求項５】
前記磁性子は、磁石のペアであり、前記磁石のペアは、前記上側周縁フサギ部と前記下側周縁フサギ部とに設けられている窪みにそれぞれ粘着されていることを特徴とする、請求項１に記載の携帯電話用金属枠。
【請求項６】
前記磁性子は、磁石と磁石を吸着可能な金属のペアであり、前記磁石と前記金属は、前記上側周縁フサギ部と前記下側周縁フサギ部とに設けられている窪みにそれぞれ粘着されていることを特徴とする、請求項１に記載の携帯電話用金属枠。
【請求項７】
前記磁性子は、磁石と磁石を吸着可能な金属のペアであり、前記磁石は、前記上側周縁フサギ部と前記下側周縁フサギ部のうちの一つに設けられている窪みに粘着されており、前記金属は、前記上側周縁フサギ部と前記下側周縁フサギ部のうちの残りに設けられている窪みに、粘着されており、嵌合されており、又はリベットによって固定されていることを特徴とする、請求項１に記載の携帯電話用金属枠。
【請求項８】
前記磁性子は、磁石と磁石を吸着可能な金属のペアであり、前記上枠部又は前記下枠部は、前記金属で作製されたものであることを特徴とする、請求項１に記載の携帯電話用金属枠。
【考案の詳細な説明】
【技術分野】
【０００１】
本考案は、携帯電話用保護枠に関し、特に、螺子を使用しないことにより、金属枠の見栄えを向上することが可能であり、金属枠の定位及び固定が容易となる携帯電話用金属枠に関するものである。
【背景技術】
【０００２】
携帯電話は、国民にとって極めて便利なものであり、携帯性が極めて良いため、携帯電話のメーカーが各種類の機能を携帯電話に作り込む。しかし、多くの機能を有する携帯電話を軽くて薄いようにするという要請が強いため、小さい空間に各種類の電子部品を入れることが必要であり、携帯電話の強度が極めて弱い。このため、携帯電話が不意に落下すると、酷い損壊が発生する。上記の問題を解決するために、携帯電話を保護するためのもの（例えば保護枠、保護ホルスターなど）が開発されて市販している。
【０００３】
従来の金属製の携帯電話用保護枠は、Ｌ字形又はコ字形の金属枠を結合して構成されるものであることが一般的である。このような金属枠を結合するために、螺子による締結方式を採用することが一般的である。このような金属枠により、携帯電話の周面を保護することが可能であり、そして携帯電話のタッチスクリーンと背面に設けられているレンズとを外部に露呈することが可能である。しかしながら、螺子による締結方式を採用すると、螺子が外部に露呈するため、全体の見栄えが良くなく、携帯電話の高級感が降下し、そして螺子を紛失するという虞がある。
【考案の概要】
【考案が解決しようとする課題】
【０００４】
本考案の主な目的は、螺子を使用しないことにより、全体の見栄えが良くなり、携帯電話の高級感が増加し、そして定位及び固定が容易となる携帯電話用金属枠を提供することにある。
【課題を解決するための手段】
【０００５】
本考案の携帯電話用金属枠によると、前周縁フサギ部と、透かし部と、上側周縁フサギ部と、が設けられている上枠部と、後周縁フサギ部と、下側周縁フサギ部と、設けられており、上枠部の上側周縁フサギ部は下側周縁フサギ部に押付けており、上枠部とから、携帯電話を収容可能な保護空間が形成される下枠部と、を含む携帯電話用金属枠において、
上枠部の上側周縁フサギ部と下枠部の下側周縁フサギ部の対応箇所では、上枠部と下枠部を互いに吸着するための少なくとも一つの磁性子と、上枠部と下枠部を互いに定位するための少なくとも一つ定位子と、が設けられていることを特徴とする。
【０００６】
本考案の携帯電話用金属枠によると、定位子は、一組以上の凹凸のペアであり、上枠部と下枠部を合わせているときには、これらの凹凸のペアを互いに嵌合することにより、上枠部と下枠部を定位することが可能であることを特徴とする。
【０００７】
本考案の携帯電話用金属枠によると、定位子は、一組以上の定位ピンと定位穴のペアであり、上枠部と下枠部を合わせているときには、これらの定位ピンと定位穴のペアを互いに嵌合することにより、上枠部と下枠部を定位することが可能であることを特徴とする。
【０００８】
本考案の携帯電話用金属枠によると、定位子は、一組以上のラッチのペアであり、上枠部と下枠部を合わせているときには、これらのラッチのペアを互いに係合することにより、上枠部と下枠部を定位することが可能であることを特徴とする。
【０００９】
本考案の携帯電話用金属枠によると、磁性子は、磁石のペアであり、磁石のペアは、上側周縁フサギ部と下側周縁フサギ部とに設けられている窪みにそれぞれ粘着されていることを特徴とする。
【００１０】
本考案の携帯電話用金属枠によると、磁性子は、磁石と磁石を吸着可能な金属のペアであり、磁石と金属は、上側周縁フサギ部と下側周縁フサギ部とに設けられている窪みにそれぞれ粘着されていることを特徴とする。
【００１１】
本考案の携帯電話用金属枠によると、磁性子は、磁石と磁石を吸着可能な金属のペアであり、磁石は、上側周縁フサギ部と下側周縁フサギ部のうちの一つに設けられている窪みに粘着されており、金属は、上側周縁フサギ部と下側周縁フサギ部のうちの残りに設けられている窪みに、粘着されており、嵌合されており、又はリベットによって固定されていることを特徴とする。
【００１２】
本考案の携帯電話用金属枠によると、磁性子は、磁石と磁石を吸着可能な金属のペアであり、上枠部又は下枠部は、金属で作製されたものであることを特徴とする。
【考案の効果】
【００１３】
本考案の携帯電話用金属枠によれば、螺子を使用しないことにより、全体の見栄えが良くなり、携帯電話の高級感が増加し、そして定位及び固定が容易となるという効果を有する。
【図面の簡単な説明】
【００１４】
【図１】本考案の一実施例の上方から見た分解斜視図である。
【図２】本考案の一実施例の下方から見た分解斜視図である。
【図３】本考案の一実施例の組合済み状態を示す斜視図である。
【図４】本考案の一実施例の組合済み状態を示す断面図である。
【図５】本考案の一実施例の使用状態を示す斜視図である。
【図６】本考案の一実施例の使用状態を示す断面図である。
【考案を実施するための最良の形態】
【００１５】
以下、本考案の実施の形態を図面に基づいて説明する。
図１から図６を参照する。図１は本考案の一実施例の上方から見た分解斜視図であり、図２は本考案の一実施例の下方から見た分解斜視図であり、図３は本考案の一実施例の組合済み状態を示す斜視図であり、図４は本考案の一実施例の組合済み状態を示す断面図であり、図５は本考案の一実施例の使用状態を示す斜視図であり、図６は本考案の一実施例の使用状態を示す断面図である。本考案の携帯電話用金属枠は、上枠部１０と、下枠部２０と、を含む。
【００１６】
上枠部１０は、前周縁フサギ部１１と、透かし部１２と、上側周縁フサギ部１３と、が設けられている。
【００１７】
下枠部２０は、後周縁フサギ部２１と、下側周縁フサギ部２２と、設けられている。上枠部１０の上側周縁フサギ部１３は、下側周縁フサギ部２２に押付けている。下枠部２０と上枠部１０から、携帯電話３０を収容可能な保護空間Ａが形成される。このように、携帯電話３０の前エッジ３１、エッジ３２及び後エッジ３３は、本考案の携帯電話用金属枠に保護される。
【００１８】
上側周縁フサギ部１３と下側周縁フサギ部２２の対応箇所では、上枠部１０と下枠部２０を互いに吸着するための少なくとも一つの磁性子４０と、上枠部１０と下枠部２０を互いに定位するための少なくとも一つ定位子５０と、が設けられている。このように、本考案の携帯電話用金属枠の結合は螺子を使用することが必要なくなる。
【００１９】
定位子５０は一組以上の凹凸のペアでもよい。上枠部１０と下枠部２０を合わせているときには、これらの前記凹凸のペアを互いに嵌合することにより、上枠部１０と下枠部２０を定位することが可能である。
【００２０】
定位子５０は一組以上の定位ピンと定位穴のペアでもよい。上枠部１０と下枠部２０を合わせているときには、これらの前記定位ピンと前記定位穴のペアを互いに嵌合することにより、上枠部１０と下枠部２０を定位することが可能である。
【００２１】
定位子５０は一組以上のラッチのペアでもよい。上枠部１０と下枠部２０を合わせているときには、これらの前記ラッチのペアを互いに係合することにより、上枠部１０と下枠部２０を定位することが可能である。
【００２２】
磁性子４０は磁石のペアでもよい。前記磁石のペアは、上側周縁フサギ部１３と下側周縁フサギ部２２とに設けられている窪みにそれぞれ粘着されている。
【００２３】
磁性子４０は、磁石と磁石を吸着可能な金属のペアであり、前記磁石と前記金属は、上側周縁フサギ部１３と下側周縁フサギ部２２とに設けられている窪みにそれぞれ粘着されていてもよい。
【００２４】
磁性子４０は、磁石と磁石を吸着可能な金属のペアであり、前記磁石は、上側周縁フサギ部１３と下側周縁フサギ部２２のうちの一つに設けられている窪みに粘着されており、前記金属は、上側周縁フサギ部１３と下側周縁フサギ部２２のうちの残りに設けられている窪みに、粘着されており、嵌合されており、又はリベットによって固定されていてもよい。
【００２５】
磁性子４０は、磁石と磁石を吸着可能な金属のペアであり、上枠部１０又は下枠部２０は、金属で作製されたものでもよい。
【産業上の利用可能性】
【００２６】
本考案は、携帯電話に適用することができる。
【符号の説明】
【００２７】
１０  上枠部
１１  前周縁フサギ部
１２  透かし部
１３  上側周縁フサギ部
２０  下枠部
２１  後周縁フサギ部
２２  下側周縁フサギ部
３０  携帯電話
３１  前エッジ
３２  エッジ
３３  後エッジ
４０  磁性子
５０  定位子
Ａ  保護空間
【図１】
0003189836.tif 000003
【図２】
0003189836.tif 000004
【図３】
0003189836.tif 000005
【図４】
0003189836.tif 000006
【図５】
0003189836.tif 000007
【図６】
0003189836.tif 000008